Podtech/llm-jp-corpus-v4-ja_patent huggingface dataset:
(57)【要約】      （修正有）【課題】太陽光、風力等の自然エネルギーを有効に利用できる形態を有した独立系街路灯形式の創エネルギーポールにおいて、多機能型装置を有し、全体を有機的に機能させる事が出来る完全独立型エネルギー提供装置として利用可能な形態に提供する。【解決手段】自然エネルギーの電気エネルギーへの変換過程において高効率風力発電機１及びＤＣ／ＤＣコンバータ４を持ち、電気二重層コンデンサー、バッテリ等のエネルギー蓄積装置に蓄える事により原理的に利用可能となる。自然環境は全く変えずに、外気中に拡散されていた自然エネルギーが有効な変換装置を介する事により電気エネルギーとして回収し、且自然エネルギーが別の形態に生まれ変わる事により利用可能な姿となる。変換された電気エネルギーは諸々の機能をもつ装置によりその利用形態毎に出力される。これにより自然エネルギーは、自在に使える有効媒体になる。【選択図】図１
0003161511.tif 000002
【実用新案登録請求の範囲】
【請求項１】
太陽光、風力等の自然エネルギーを有効に利用できる形態を有した独立系街路灯形式の創エネルギーポールにおいて、
▲１▼有効な自然エネルギー変換装置
▲２▼エネルギー蓄積装置
▲３▼通信機能装置
▲４▼外部に作用する装置
▲５▼災害等の緊急時に有効に機能する装置
を有し、全体を有機的に機能させる事が出来る完全独立型エネルギー提供装置。
【考案の詳細な説明】
【技術分野】
【０００１】本考案は、完全独立型自然エネルギー利用の情報発信、エネルギー提供方法に関する。
【背景技術】
【０００２】一般に使われている完全独立型自然エネルギー利用の街路灯は、太陽光、風力エネルギーを電気に変換して照明に利用するのが標準的でありそれに特化している。機器の運転により発生した電気エネルギーはそのまま蓄積し夜間照明にのみ利用している。
【考案の概要】
【考案が解決しようとする課題】
【０００３】しかしその発生した電気エネルギーを多目的に利用する事になれば、作り出されたエネルギーは他の目的に利用可能となる。
【課題を解決するための手段】
【０００４】そこで高効率エネルギー変換装置を介して電気に変換されたエネルギーを、エネルギー蓄積装置に蓄え、そのエネルギーの有効利用を図るようにすれば地球環境に優しい技術に変身する。
【考案を実施するための形態】
【０００５】図１に示すように自然エネルギーの電気エネルギーへの変換過程において▲１▼高効率発電機及び▲２▼高効率ＤＣ／ＤＣコンバータを持ち、電気二重層コンデンサー、バッテリ等のエネルギー蓄積装置に蓄える事により原理的に利用可能となる。
【０００６】自然環境は全く変えずに、外気中に拡散されていた自然エネルギーが有効な変換装置を介する事により電気エネルギーとして回収し、且自然エネルギーが別の形態に生まれ変わる事により利用可能な姿となる。
【０００７】図２において、変換された電気エネルギーは諸々の機能をもつ装置によりその利用形態毎に出力される。これにより自然エネルギーは、自在に使える有効媒体になる。
【考案の効果】
【０００８】本考案に係る自然エネルギーの有効利用形態を有した独立系街路灯形式の創エネルギーポールを運用する事により、能動的な情報発信基地としての役割を持つ事が可能になる。
【図面の簡単な説明】
【０００９】
【図１】本考案に係るエネルギー利用多機能構成図である。
【図２】本考案に係る具体的実施例である。▲１▼ＬＥＤ街路灯である。▲２▼ＬＥＤフットライトである。▲３▼環境計測器（デジタル百葉箱）である。▲４▼人感センサー（省エネルギー運転等に利用可能）である。▲５▼監視カメラである。▲６▼通信機器である。▲７▼広告塔（イベント告知・企業広告など）である。▲８▼誘導灯である。▲９▼緊急用回転灯である。▲１０▼スピーカーである。▲１１▼独立電源（ＡＣ１００Ｖ出力）である。
【図３】本実用新案における実際の多機能エネルギーポールの設置形態である。
【符号の説明】
【００１０】  １・・・高効率風力発電機
２・・・高出力太陽電池
３・・・大容量バッテリー
４・・・ＤＣ／ＤＣコンバータ
５・・・高エネルギーポール本体
６・・・ＬＥＤフットライト
７・・・人感センサー（省エネルギー運転等用）
８・・・環境計測器（デジタル百葉箱）
９・・・監視カメラ
１０・・・通信機器
１１・・・広告塔（イベント告知・企業広告など）
１２・・・緊急用回転灯
１３・・・スピーカー
１４・・・独立電源（ＡＣ１００Ｖ出力）
１５・・・誘導灯
１６・・・ＬＥＤ街路灯
【図１】
0003161511.tif 000003
【図２】
0003161511.tif 000004
【図３】
0003161511.tif 000005
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
高出力太陽電池及びプロペラ型或いは垂直翼型高効率風力発電機を有し、その発電した電力を、内蔵する大容量バッテリーに蓄えると同時に個別装置間のコントロール機能を有した独立系街路灯形式の創エネルギーポールにおいて
▲１▼太陽光発電及び風力発電を実行する自然エネルギー変換装置
▲２▼発電した直流電気を蓄えるバッテリーによるエネルギー蓄積装置
▲３▼送受信装置を有した通信機能装置
▲４▼ＬＥＤフットライト、環境計測器（デジタル百葉箱）、監視カメラ、広告塔、霜害除去ファン、ＬＥＤ街路灯を有し外部に作用する装置
▲５▼人感センサー、緊急回転灯、ＡＣ１００Ｖ出力する独立電源、スピーカー、誘導灯等を有する災害等の緊急時に有効に機能する装置
を有し、上記の各装置を用途に応じて組合せ構成された各装置が、風力・太陽電池ハイブリッドコントローラにて
・  バッテリー充放電管理
・  電力管理及び風力発電機安全管理
・  ＬＥＤライト及びフットライトの点灯・消灯管理
・  オプション機器の管理
を制御出来る、完全独立型エネルギー提供装置。
(57)【要約】      （修正有）【課題】髪への固定力を強化し、少量の髪の場合においても十分な固定力を有した髪留めが可能となるヘアークリップを提供する。【解決手段】ヘアークリップ本体が第一狭髪体と第二狭髪体から構成され、ヘアークリップ本体の他側を開閉自在に支持する弾性体とビスで連結される。第一狭髪体の底面両側に櫛歯が複数並列して形成されるとともに、第二狭髪体の両側の櫛歯に相当する位置に複数の凹部を連続して設け、第二狭髪体の凹部に、第一狭髪体の櫛歯を挿入し、かみ合わすことで、髪を挟み固定する。【選択図】図１
0003161543.tif 000002
【実用新案登録請求の範囲】
【請求項１】
ヘアークリップ本体が第一狭髪体と第二狭髪体から構成され、前記ヘアークリップ本体の他側を開閉自在に支持する弾性体（バネ）とビスで連結されたヘアークリップであって、前記第一狭髪体の底面両側に櫛歯が複数並列して形成されるとともに、前記第二狭髪体の両側の前記櫛歯に相当する位置に複数の凹部を連続して設け、前記第二狭髪体の凹部に、前記第一狭髪体の櫛歯を挿入し、かみ合わすことで、髪を挟み固定することを特徴とするヘアークリップ。
【考案の詳細な説明】
【技術分野】
【０００１】
この考案は、少量の髪及び、多量の髪を挟み、滑ることなく髪留めができるヘアークリップ、又は美容院でピンカールするときに用いられるヘアークリップに関する。
【背景技術】
【０００２】
従来のヘアークリップは、第一狭髪体（髪を挟む際に上側）と、第二狭髪体（髪を挟む際に下側）と、髪を挟む開閉操作部及び補強部材を一体的に備えており、第一狭髪体と第二狭髪体を弾性体（バネ）とビスで連結されている。第一狭髪体及び第二狭髪体の挟髪部分は閉姿勢で互いに平行に一直線に当接するように構成されており、弾性体の付勢力によって髪を挟んで固定する。
【先行技術文献】
【特許文献】
【０００３】
【特許文献１】実公平−11681公報
【考案の概要】
【考案が解決しようとする課題】
【０００４】
しかしながら、従来の技術によれば次の課題がある。
第一狭髪体と第二狭髪体が平行に一直線に延設されているため、すべりやすく特に少量の髪を挟む場合に固定力が不足する。そこで、この考案は、髪への固定力を強化し、少量の髪の場合においても十分な固定力を有した髪留めが可能となるヘアークリップを提供することを目的とする。
【課題を解決するための手段】
【０００５】
以下、課題を解決するための手段を掲げる。
【０００６】
ヘアークリップ本体が第一狭髪体と第二狭髪体から構成され、前記ヘアークリップ本体の他側を開閉自在に支持する弾性体（バネ）とビスで連結されたヘアークリップであって、前記第一狭髪体の底面両側に櫛歯が複数並列して形成されるとともに、前記第二狭髪体の両側の前記櫛歯に相当する位置に複数の凹部を連続して設け、前記第二狭髪体の凹部に、前記第一狭髪体の櫛歯を挿入し、かみ合わすことで、髪を挟み固定することを特徴とするヘアークリップある。
【考案の効果】
【０００７】
本考案のヘアークリップによれば、第一狭髪体の櫛歯と第二狭髪体の凹部が挿入するように形成されたことで、少量の髪を挟む場合においても滑りにくく十分な固定力を有した髪留めが可能となる。
【図面の簡単な説明】
【０００８】
【図１】本考案のヘアークリップの構成図（上方斜視図）
【図２】本考案のヘアークリップの構成図（下方斜視図）
【図３】本考案のヘアークリップの中心を通り長手方向に平行に切断した断面図
【図４】本考案のヘアークリップの開閉図（開いた状態における上方斜視図）
【考案を実施するための形態】
【０００９】
図１と図２は本考案のヘアークリップの構成図で、図１は上方から見た斜視図、図２は下方から見た斜視図、図３はヘアークリップの中心を通り長手方向に平行に切断した断面図、図４はヘアクリップを開いた状態を上方からみた斜視図である。
ヘアークリップは、第一狭髪体１Ａと第二狭髪体１Ｂで構成されるヘアークリップ本体１、弾性体（バネ）２、挟髪スペース３、補強部材４、ビス５  櫛歯部６、凹部かみ合わせ部７、開閉操作部８を備える。
第一狭髪体１Ａは樹脂製で、曲率を有した長細いプレートである。第一狭髪体１Ａのプレート底面に、櫛歯６１を側面に接するように長手方向に複数設け櫛歯部６を構成する。
第一狭髪体１Ｂは金属製又は樹脂製であり、頭部に沿うように曲率を有した長細いプレートである。第一狭髪体１Ｂのプレートの上面に、凹部７１を側面に接するように長手方向に複数設け、かみ合わせ部７を構成する。
第一狭髪体と第二狭髪体の曲率及び構成は、ビス５近傍に挟髪スペース３が確保できるように設定されている。
本考案のヘアークリップは、開閉操作部８を手指でつまむことにより、第一狭髪体（１Ａ）と第二狭髪体（１Ｂ）を開けて、髪を通し、開閉操作部８の手指で緩めることで、髪を挟む。この際に、第一狭髪体の櫛歯と第二狭髪体の凹部が挿入するので髪をしっかり固定でき、少量の髪を挟む場合においても滑りにくくなる。
【００１０】
上記のような髪止め飾り具を構成することにより次の効果がある。
１）第一狭髪体の櫛歯部と第二狭髪体の凹部が勘合するように形成されたことで、少量の髪を挟む場合においても滑りにくく、十分な固定力を有した髪留めが可能となる。
２）櫛歯部と凹部が側面に接するように、狭髪体外側に設けられたことで、内側のスペースに強度強化のためのリブや装飾を設けることが可能となる。
【符号の説明】
【００１１】
１  ヘアークリップ本体    
１Ａ  第一狭髪体
１Ｂ  第二狭髪体  
２  弾性体（バネ）      
３  挟髪スペース
４  補強狭髪体
５  ビス    
６  櫛歯部
６１櫛歯
７  凹部かみ合わせ部
７１凹部
８  開閉操作部  
【図１】
0003161543.tif 000003
【図２】
0003161543.tif 000004
【図３】
0003161543.tif 000005
【図４】
0003161543.tif 000006
【手続補正書】
【提出日】平成22年5月7日(2010.5.7)
【手続補正２】
【補正対象書類名】実用新案登録請求の範囲
【補正対象項目名】全文
【補正方法】変更
【補正の内容】
【実用新案登録請求の範囲】
【請求項１】
ヘアークリップ本体が第一狭髪体と第二狭髪体から構成され、前記ヘアークリップ本体の他側を開閉自在に支持する弾性体とビスで連結されたヘアークリップであって、前記第一狭髪体の底面両側に櫛歯が複数並列して形成されるとともに、前記第二狭髪体の両側の前記櫛歯に相当する位置に複数の凹部を連続して設け、前記凹部に前記櫛歯を挿入し、かみ合わすことで、髪を挟み固定することを特徴とするヘアークリップ。
(57)【要約】      （修正有）【課題】菓子、パン等の食品の取扱い業者が使用する手袋にあって、着脱が容易できるようにした手袋を提供する。【解決手段】ポリエチレン、ポリプロピレン等のプラスティックフィルムによりなり、手袋本体１に、親指挿入部２、人差し指挿入部３と中指、薬指、小指が一体に差し込めるようにした指挿入部４を設ける。各指挿入部は太めにしていると、手の装脱が容易となる。なお、手袋本体１に、親指挿入部２、人差し指と中指を一体に差し込めるようにした指挿入部と、薬指、小指を一体に差し込めるようにした指挿入部を設けるようにしてもよい。【選択図】図１
0003161578.tif 000002
【実用新案登録請求の範囲】
【請求項１】
手袋本体の指挿入部を三叉にしたことを特徴とする手袋
【請求項２】
手袋本体に、親指挿入部、人差し指挿入部と中指、薬指、小指が一体に差し込めるようにした指挿入部を設けていることを特徴とする手袋
【請求項３】
手袋本体に、親指挿入部、人差し指挿入部と中指、薬指、小指が一体に差し込めるようにした指挿入部を設け、各指挿入部が太めであることを特徴とする手袋
【請求項４】
手袋本体に、親指挿入部、人差し指と中指を一体に差し込めるようにした指挿入部と、薬指、小指を一体に差し込めるようにした指挿入部を設けていることを特徴とする手袋
【請求項５】
手袋本体に、親指挿入部、人差し指と中指を一体に差し込めるようにした指挿入部と、薬指、小指を一体に差し込めるようにした指挿入部を設け、各指挿入部が太めであることを特徴とする手袋
【考案の詳細な説明】
【技術分野】
【０００１】  本考案は、菓子、パン等の食品を取扱い業者が使用する手袋に関するものである。
【背景技術】
【０００２】  食品特に菓子、パンの販売に際し店員が商品を取り揃える場合、衛生上素手ではなく手袋をはめて行っている。通常薄手のプラスティックフィルムからなる５本指やミント状の使い捨てのものを使用している（特許文献１、２）。【０００３】  しかし、５本指のものは着脱が容易でないため、商品の取り揃えた後にレジ打ちをする場合に手間取ることがある。【０００４】  そこで、着脱が容易なミント状のものもあるが、これは食パンのような大きな商品の場合には持ちにくく又脱げ易いため使用しにくいものであった。【０００５】
【特許文献１】実用新案登録第３００６８１９号公報
【特許文献２】実用新案登録第３１５７８６０号公報
【考案の開示】
【考案が解決しようとする課題】
【０００６】  本考案は、上述した従来技術の欠点を除くためになされたものである。即ち、手袋本体を３本指としていることから、小さな商品から大きな商品まで掴みやすくなっているだけではなく、着脱も容易なものとし、使用者が利用しやすくしたものである。【０００７】  このようにすることによって、作業者の作業効率を上げることが期待できるものである。
【課題を解決するための手段】
【０００８】  このような問題点を解決するために、本考案は、手袋の指装着部を三叉にすることを特徴とするものである。
【考案の効果】
【０００９】  本考案は、このような構成であるので、親指部分と人差し指部分と他の部分が分かれているため、食パンのような大きな商品であっても支えやすくなり、また菓子パンのような小物の商品も親指と人差し指で摘むことができる。【００１０】  また、動かしにくい小指、薬指、中指を手袋の一つの指挿入部分に差し込めばよいので装脱が容易となる。【００１１】  なお、親指部分と人差し指、中指部分と薬指、小指部分の三本にすることも可能である。このようにすると、親指と人差し指、中指とで物を摘むため確実に物を保持することができる。そして、大きなものの場合には親指と他の指全体で確実に摘むこととなるので安心して作業ができる。【００１２】  手袋の開口部をやや硬めにしておくと手の挿入が容易となり、また手袋の手の甲側に磁石やベルベット式ファスナーを取り付けておくと、例えばレジの側にそれらが引っ付く金属やファスナーを取付けておくと、手の甲をそこにつけて手を引き抜くだけで手袋から手を抜くことができ便利である。【００１３】  このように本願考案では、全ての指を差し込む必要がないので装脱が容易であり、また小物の商品は親指と人差し指だけ、又は中指と一緒に摘むことができるので摘み易い。そして、食パンのような大型の商品の場合には親指と他の指で持つことができるので安定することとなる。そして装脱が容易であるため直接手に触れずに取り外しができるので衛生的である。
【考案を実施するための最良の形態】
【００１４】
【実施例】
【００１５】  実施例について図面を参照して説明すると、図１において、ポリエチレン、ポリプロピレン等のプラスティックフィルムによりなり、手袋本体１に、親指挿入部２、人差し指挿入部３と中指、薬指、小指が一体に差し込めるようにした指挿入部４を設けている。
各指挿入部は太めにしていると、手の装脱が容易となる。【００１６】  なお、図２のように、手袋本体２１に、親指挿入部２２、人差し指と中指を一体に差し込めるようにした指挿入部２３と、薬指、小指を一体に差し込めるようにした指挿入部２４を設けるようにしておくこともよい。
この場合も、各指挿入部は太めにしていると、手の装脱が容易となる。
【図面の簡単な説明】
【００１７】
【図１】  本考案の正面図である。
【図２】  本考案の他の実施例を示す正面図である。
【符号の説明】
【００１８】１    手袋本体
２    親指挿入部
３    人差し指挿入部
４    指挿入部
【図１】
0003161578.tif 000003
【図２】
0003161578.tif 000004
(57)【要約】      （修正有）【課題】正面に立たなくても、自分を鏡に映して見ることができる姿見を提供する。【解決手段】２枚の平面鏡の鏡面の直線状の縁部を互いに直角に接するように配置することで、姿見の前に立った人は、２枚の平面鏡の鏡面の両方が見える位置に立つ限り、自分の姿を常に鏡に映して見ることができる。２枚の直行する平面鏡の直線状の縁部が接する直線部分を交接線と呼ぶものとする。本姿見は、鏡を利用する本人が２枚の鏡の鏡面が見える位置に立つと、自分の姿が必ず交接線を中心とする位置に映って見える。このことにより、２枚の鏡の鏡面が見える位置に複数の人間が立っていても、それぞれの人が交接線の位置に自分を映してみることができる。また、２枚の鏡の鏡面が見える位置範囲内を移動しても、常に自分を交接線の位置に自分を映してみることができるので、歩く姿などを姿見で見てみたい場合にも、本姿見は効果がある。【選択図】図１
0003161572.tif 000002
【実用新案登録請求の範囲】
【請求項１】
全身を映すことを目的とする姿見において、直線状の縁部を持つ2枚の平面鏡の鏡面を直線状の縁部を接して直角に配置して固定した姿見。
【考案の詳細な説明】
【技術分野】
【０００１】
本考案は、洋服売り場等に設置する姿見に関するものである。
【背景技術】
【０００２】
洋服等身に着けるものを販売する店舗の売り場には、お客様がそれを身につけて確認するための姿見が設置されている。これらの姿見には通常は人間の背丈程度の縦長の平面鏡が使用されている。
【０００３】
このような従来の姿見では鏡の横幅を大きくしない限り、ひとつの姿見で同時に複数のお客様の利用に対応することができないし、また歩く姿を確認したいというお客様の要望にもこたえることができなかった。
【０００４】
かといって、デパートのように広いフロアの一部を用いた洋服売り場や、また一般の洋服店などでは、限られた店舗面積に中で幅の広い大きな姿見を設置することはなかなか困難である。
【先行技術文献】
【特許文献】
【０００５】
【特許文献１】特開２００３−０６１７９８号公報
【考案の概要】
【考案が解決しようとする課題】
【０００６】
従来の幅の狭い姿見では、その正面に立たなければ自分を映すことができない点である。
【課題を解決するための手段】
【０００７】
本考案は、姿見において2枚の平面鏡の鏡面の直線状の縁部を互いに直角に接するように配置することを特徴とする。
【考案の効果】
【０００８】
2枚の直行する平面鏡の直線状の縁部が接する直線部分を交接線と呼ぶものとする。本考案の構造を持つ姿見は、鏡を利用する本人が2枚の鏡の鏡面が見える位置に立つと、自分の姿が必ず交接線を中心とする位置に映って見える。このことにより、2枚の鏡の鏡面が見える位置に複数の人間が立っていても、それぞれの人が交接線の位置に自分を映してみることができる。また、2枚の鏡の鏡面が見える位置範囲内を移動しても、常に自分を交接線の位置に自分を映してみることができるので、歩く姿などを姿見で見てみたい場合にも、本考案の構造を持つ姿見は効果がある。
【図面の簡単な説明】
【０００９】
【図１】図１は本考案に基づく姿見の構造を示した説明図である。（実施例１）
【図２】図２は図１の姿見の利用効果を示した説明図である。（実施例１）
【考案を実施するための形態】
【００１０】
姿見の前面の一定の範囲内に立てば常に自分を映すという目的を、電子的な手段によらず、単純な鏡の機能を使用して実現した。
【実施例１】
【００１１】
図１は、本考案に基づく姿見の構造を示している。二つの平面鏡は直線状の縁部を接して互いに直角に固定されている。また二つの平面鏡の前面には透明なガラスが隙間無く固定されている。このガラスは内部にほこり等が入らないようにするためで、このため、二つの平面鏡と前面ガラスによってできる三角筒上の空間の上端と下端はほこりを通さない材料で密封されている。
【００１２】
図2は本考案に基づく姿見の効果を説明している。図2は立てられた姿見を真上から見た図である。人Ａ、人Ｂ、人Ｃは姿見に対して少しずつ異なる位置に立っているが、3人とも自分と2枚の平面鏡の交接線を結ぶ線上に自分の姿を見ることができる。
【産業上の利用可能性】
【００１３】
デパートの洋服売り場や洋服店における姿見として利用する。
【符号の説明】
【００１４】
１    平面鏡1
２    平面鏡2
３    保護ガラス
【図１】
0003161572.tif 000003
【図２】
0003161572.tif 000004
(57)【要約】      （修正有）【課題】プルバック式のゼンマイを用いた走行玩具であって、四輪全てが駆動し、障害物などの平坦でない面を乗り越えることが可能な四輪駆動玩具のためのゼンマイユニットを提供する。【解決手段】動力伝達ギア１１により、動力接収ギア１と動力接収ギア１２の回転を連結させることで、プルバックゼンマイにより生じる動軸の動力を従軸へ直結させ、四輪全てを駆動させる。四輪全てが駆動することで、凹凸な床面や障害物を乗り越える際に、接地面に駆動力を十分に伝達できるようになり、前記平坦でない面を乗り越えて走行できる。【選択図】図２
0003161577.tif 000002
【実用新案登録請求の範囲】
【請求項１】
本考案は動力伝達ギア１１により、動力接収ギア１と動力接収ギア１２の回転を連結させることで、プルバックゼンマイにより生じる動軸の動力を従軸へ直結させ、四輪全てを駆動させることを特徴とする四輪駆動玩具ゼンマイユニット。
【考案の詳細な説明】
【技術分野】
【０００１】  本考案はプルバック式のゼンマイを用いて、四輪全てが駆動し走行することを可能とした四輪駆動玩具用ゼンマイユニットに関する。
【背景技術】
【０００２】  従来のプルバック式のゼンマイを用いた走行玩具は、二輪駆動玩具が一般的であり、凹凸な床面や障害物を乗り越えにくかった。
【考案の概要】
【考案が解決しようとする課題】
【０００３】  本考案はプルバック式のゼンマイを用いた走行玩具であって、四輪全てが駆動し、障害物などの平坦でない面を乗り越えることが可能な四輪駆動玩具のためのゼンマイユニットを提供することを課題とする。
【課題を解決するための手段】
【０００４】  本考案はプルバック式のゼンマイを用いて、四輪全てが駆動し走行することを可能とした四輪駆動玩具用ゼンマイユニットである。ゼンマイユニットを用いることにより、動軸の動力を従軸へ伝達し、動力性能を向上させる。
四輪全てが駆動することで、凹凸な床面や障害物を乗り越える際に、接地面に駆動力を十分に伝達できるようにし、前記平坦でない面を乗り越えて走行できるようにする。
【考案の効果】
【０００５】  従来の二輪駆動から四輪駆動にすることで、駆動力が増し、障害物などの平坦でない面を乗り越えることが可能となった。
【図面の簡単な説明】
【０００６】
【図１】本考案の一実施例である後輪駆動プルバック式のゼンマイを用いた四輪駆動玩具の外観を示す図である。
【図２】図１のボディを省略した斜視図を示す図である。
【図３】図２の平面図を示す図である
【図４】図２の内部構造を示す図である
【考案を実施するための形態】
【０００７】  本考案はプルバック式のゼンマイを用いて、四輪全てが駆動し走行することを可能とした四輪駆動玩具用ゼンマイユニットである。その構成はゼンマイユニットを用いることにより、動軸の動力を従軸に伝達し、動力性能を向上させるものである。プルバックゼンマイの動軸は後輪軸に限定されるものではなく前輪軸であってもよい。
その結果、各車輪の駆動力を接地面に十分に伝達させ、平坦でない面を力強く走行することを可能とした。
【符号の説明】
【０００８】１    動力接収ギア
２Ａ  後輪
２Ｂ  後輪
３    ユニットカバー
３Ａ  前輪
３Ｂ  前輪
９    出力歯車
１１  動力伝達ギア
１２  動力接収ギア
１３  前輪軸
１４  後輪軸
【図１】
0003161577.tif 000003
【図２】
0003161577.tif 000004
【図３】
0003161577.tif 000005
【図４】
0003161577.tif 000006
(57)【要約】【課題】  本考案は、店舗や会社や施設などの人の出入りがある玄関口などで様々な細菌・ウイルス・ダストなどをキャッチして拡散を防止するダストコントロールマットにおいて、ダストコントロール作用と併用して宣伝広告などの情報伝達の表示を容易に低コストで臨機応変にしかも爽快に行なうシステムの構築を課題とするものである。【解決手段】  お客様への宣伝や各種情報伝達などのデザイン表示が必要な店舗や会社や各種施設などの玄関口にセットするダストコントロールマットとデザイン画像投影用のプロジェクタを組み合わせ、ダストコントロールマットの表面をプロジェクタのスクリーンとして使用する投影デザイン型ダストコントロールマットシステム。【選択図】図１
0003161579.tif 000002
【実用新案登録請求の範囲】
【請求項１】
お客様への宣伝や各種情報伝達などのデザイン表示が必要な店舗や会社や各種施設などの玄関口にセットするダストコントロールマットとデザイン画像投影用のプロジェクタを組み合わせダストコントロールマットの表面をプロジェクタのスクリーンとして使用する組合わせシステムである投影デザイン型ダストコントロールマットシステム。
【請求項２】
ダストコントロールマットは白色系や銀色系の配色とし投影光の反射量を増して画質を鮮明にする構成であり、プロジェクタの表示パネルはデザイン画像表示を簡単に取替えできる構成とし、プロジェクタは高輝度ＬＥＤ機能とした請求項１記載の投影デザイン型ダストコントロールマットシステム。
【考案の詳細な説明】
【技術分野】
【０００１】  この考案は、店舗や会社や各種施設など、人の出入りがある玄関などの場所にセットして、様々な細菌・ウイルス・ダストなどをキャッチして拡散を防止するダストコントロールマットとデザイン画像投影用のプロジェクタとの組合せシステムに関するものである。
【背景技術】
【０００２】  従来のダストコントロールマットに関する技術や画像投影用プロジェクタに関する技術について個別の技術は多数の背景技術が存在するが相互技術に特化した組合わせシステム技術に関しては存在しなかった。
【先行技術文献】
【０００３】  ダストコントロールマットが含まれる特許・実用新案の公開公報は３５件ありますが本考案に該当する技術はありません。
【０００４】  画像投影用のプロジェクタが含まれる特許・実用新案の公開公報は１４３２８件ありますが、その特許・実用新案の中の技術用語でダストコントロールマットが含まれる該当技術はありません。
【考案の概要】
【考案が解決しようとする課題】
【０００５】  ダストコントロールマットの主な目的は店舗や会社や各種施設などの人の出入りがある玄関口などで細菌・ウイルス・ダストなどをキャッチしてその拡散を防止するものであるが、特にレンタルマット業界に於いては宣伝などの情報伝達や色彩的環境改善などの希求により宣伝や情報伝達などを表示した彩り鮮やかなデザイン型ダストコントロールマットの市場性が高くなっている。【０００６】  このデザイン型のダストコントロールマットは周知のとおり直接マット生地にデザインを加工する技術によるものであり製造コストが高くなることが最大の問題であったし、また加工デザインの変更が困難であるためダストコントロールマットが破損するまで同じデザイン形態を余儀なくされデザインに飽きてしまうマンネリ化も問題であったし、臨機応変なデザイン内容の表示も困難であった。
【課題を解決するための手段】
【０００７】  お客様への宣伝や各種情報伝達などのデザイン表示が必要な店舗や会社や各種施設などの玄関口などにセットするダストコントロールマット１とデザイン画像投影用のプロジェクタ２を組合わせダストコントロールマット１の表面に投影デザイン画像３を投影表示してプロジェクタ２のスクリーンとして使用する組合わせシステムである。【０００８】  ダストコントロールマット１は白色系や銀色系の配色とし投影光の反射量を増やして投影デザイン画像３の投影画質を向上させる構成とするし、プロジェクタ２の表示パネルは臨機応変にデザイン画像表示を取替えできる構成とする。
【考案の効果】
【０００９】  本考案により高価格のデザイン型ダストコントロールマットを使用することなく、プロジェクタ２の表示パネルを取替えるだけで投影デザイン画像３の表示を替えることが出来るため必要に応じた臨機応変のデザイン表示を可能とするため最新の情報伝達や宣伝用としての活用も容易であり、勿論マンネリ化防止にも有効ですし、プロジェクタ２を高輝度ＬＥＤ型にすることにより省エネにも貢献します。【００１０】  またダストコントロールマット１の表面に投影された投影デザイン画像３を足で踏むことにより投影デザイン画像３が変化する爽快感はストレス解除にも有効であり、情報豊富な明るく楽しい社会作りにも大きく貢献するものである。
【図面の簡単な説明】
【００１１】
【図１】は本考案の一例を示す斜視図
【考案を実施するための形態】
【実施例】
【００１２】  白色系や銀色系の無地配色や表面をエンボス加工をすることもあるダストコントロールマット１の上部に天井吊方式で高輝度ＬＥＤ型のプロジェクタ２をセットした構成で、ダストコントロールマット１の表面に投影デザイン画像３を投影するシステムであり、プロジェクタの表示パネルのデザインは必要に応じて取替えを可能として投影デザイン画像３を臨機応変に替えるシステムとする。【００１３】  またプロジェクタ２から投影するの投影デザイン画像３をより鮮明に表示してスポット照明としての演出効果を高めるため周辺環境を暗くすることもある。
【産業上の利用可能性】
【００１４】  本考案の投影デザイン型ダストコントロールマットシステムはダストコントロールマットのレンタルマットビジネスを兼ねた宣伝広告ビジネスとしても有効である。
【符号の説明】
【００１５】１はダストコントロールマット
２はプロジェクタ
３は投影デザイン画像
【図１】
0003161579.tif 000003
(57)【要約】      （修正有）【課題】便器清掃後のモップやブラシ等清掃具の水切り手段を提供する。【解決手段】水切手持具１の把部２を握り押付面１ａにモップやブラシの擦拭部を押し付け捩り該擦拭部の含水を水切りする。結果床面への清掃具からの水滴りや清掃具内の水溜りを減少させ清掃具の乾燥を促進し得る。【選択図】図１
0003161537.tif 000002
【実用新案登録請求の範囲】
【請求項１】
便器清掃後のモップやブラシの洗浄水の滴りを防ぐ水切り手段として、モップやブラシの擦拭部を圧着と捩り操作により該モップ・ブラシの擦拭部の洗浄水を絞り得る水切具にあって、片手で握る為の把部とモップやブラシの擦拭部を押し付け得る寸法とモップやブラシの収納箱に収まる楯形状を特徴とする便器清掃具の手持水切具。
【請求項２】
請求項１の手持水切具の形状がコップ型を特徴とする便器清掃具の手持水切具。
【請求項３】
請求項１の手持水切具の形状が漏斗型を特徴とする便器清掃具の手持水切具。
【考案の詳細な説明】
【技術分野】
【０００１】  本考案は、便器清掃具のモップやブラシの擦拭部の水切具に関するものである。
【背景技術】
【０００２】  便器内を清掃したモップやブラシの擦拭部の水切り方法は、該清掃具の柄部分を撓らせて水を切るための柄部の提案や、便器内に水滴が自然落下し得るように便器内に吊るす方法等が提供されている。
【考案の概要】
【考案が解決しようとする課題】
【０００３】  最近の水洗便器は、汚れ付着防止の観点から便器内の表面処理が極微細な平滑処理がなされている。この為清掃具も表面に傷が付かない様に極柔らかな清掃具が用意されている。しかしスポンジや埴毛形状の清掃具は洗浄水を多く含みそのまま収容器に収めると水が滴り、収容器内に水が溜り、自然ではなかなか乾燥しない。この為便器内で振って水切りしたり、便器内に押しつけたりして大よその水は切れるが、不十分な為便器回りに水が滴り拭き掃除が間々必要になる。
【課題を解決する手段】
【０００４】  清掃が終わった清掃具を便器内で保持している為、他の片手で保持し得る軽量小型な道具であることが必要条件である。さらにトイレのスペースと外観上の観点から清掃具の収容器に収まる等の条件が満たされることも必要条件である。該清掃具水切手持具にモップやブラシの擦拭部を押し付け捩る操作により該清掃具擦拭部の含水を絞り便器内に流し得る。清掃具を収容器に収める時該清掃具からの含水滴りにより床面を汚す防止課題を提供し得る。
【考案の効果】
【０００５】  本考案は便器内で振ったり押し付ける水切方法より、効果的に便器内に掃除具の含水を流し得る手段を提供できる。この結果清掃具の含水は水切りされ床への水の滴りは防止される。さらに該水切具により該清掃具の含水を絞る結果、清掃具収容器内での乾燥も図られる。
【図面の簡単な説明】
【０００６】
【図１】本考案の手持水切具の外観図。Ａは正面、Ｂは背面
【図２】本考案の他の形状図。Ａはコップ型、Ｂは漏斗型。
【図３】本考案の使用例
【図４】清掃具収容器に収めた一例図。Ａは楯型、Ｂはコップ型
【考案を実施する形態】
【０００７】  清掃具先端の擦拭部が丸型や長円形どちらでも対応出来、片手で手持ちし、且つ清掃具の収容器に一緒に収容できる為には楯形が望ましいが、上記条件を緩和すればコップ型（ラッパ型）漏斗型も選択し得る。
【実施例】
【０００８】  以下添付図面に従って実施例を説明する。図１の形状は本考案で言う楯形を説明したものである。略コの字型をした水切り具１は背面１ｂに把部２を備える。水切具１は手持ちした状態で掃除具３の擦拭部３ａを押し付け捩り、手持具１下部より便器内に水を滴下させる。該水切具１には条突起が有る方が水切り効果は上がるが、無くとも良い。図２は本考案の他の実施形態を表わしている。Ａはコップ型で口に比べ底は細くなり底は水切り孔が施工されている。該コップ型水切用具の容器材質が柔らかで有る場合、清掃具擦拭部を収容した該容器外側から掌で絞ると効率的に水切りが可能となる。Ｂは漏斗型であり底は有孔形状の水切り具である。図３は本考案の水切具の使用形態説明図である。図４は清掃具収容器４へ本考案の水切具１を収めた説明例図。Ａは楯形の収容例。Ｂはコップ型の収容例。
【符号の説明】
【０００９】１    水切具本体
１ａ  清掃具の押し付け面
１ｂ  水切具背面
２    水切具１の把部
３    清掃具
３ａ  清掃具の擦拭部
４    清掃具収容器
【図１】
0003161537.tif 000003
【図２】
0003161537.tif 000004
【図３】
0003161537.tif 000005
【図４】
0003161537.tif 000006
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
便器清掃後のモップやブラシの洗浄水の滴りを防ぐ水切り手段として、モップやブラシの擦拭部を圧着と捩り操作により該モップやブラシの擦拭部の洗浄水を絞り得る水切り具であって、片手で握る為の把部と、モップやブラシの擦拭部を押し付け得る寸法でありモップやブラシの収納箱に収まる楯形状である水切り具本体とを有することを特徴とする便器清掃具の手持ち水切り具。
【請求項２】
便器清掃後のモップやブラシの洗浄水の滴りを防ぐ水切り手段として、モップやブラシの擦拭部を圧着と捩り操作により該モップやブラシの擦拭部の洗浄水を絞り得る水切り具であって、該水切り具形状がコップ型形状であり片手で握り且つ該モップやブラシの擦拭部を該コップ型形状水切り具本体内に押し付け捩り得る寸法であり該モップやブラシの収納箱に収まるコップ型形状を特徴とする便器清掃具の手持ち水切り具。
【請求項３】
便器清掃後のモップやブラシの洗浄水の滴りを防ぐ水切り手段として、モップやブラシの擦拭部を圧着と捩り操作により該モップやブラシの擦拭部の洗浄水を絞り得る水切り具であって、該水切り具形状が漏斗型形状であり片手で握り且つ該モップやブラシの擦拭部を該漏斗型形状水切り具本体内に押し付け捩り得る寸法で有り該モップやブラシの収納箱に収まる漏斗型形状を特徴とする便器清掃具の手持ち水切り具。
(57)【要約】      （修正有）【課題】水分と生ゴミを一緒に捨てても水分だけが全部下に溜まって排水溝に流れ、自然に水分と生ゴミを分離し調理場の衛生上、又環境にも良くＥＣＯにも繋がる穴あきゴミ袋付水切りゴミ箱を提供する。【解決手段】ゴミ袋４の底から２０センチ位の位置全体に細かい穴２をあけて、各種ゴミ箱の内寸に合った穴あき台１をゴミ箱の中底に置き、ゴミ箱本体の底から１センチ位の所に排水用の穴を１ヶ所あけ、そこに筒状のホース接続可能なパイプ３を差し込み、穴あきゴミ袋付き水切りゴミ箱を構成する。【選択図】図４
0003161536.tif 000002
【実用新案登録請求の範囲】
【請求項１】
各種ゴミ箱の内寸に合った（コの字型）の穴あき台をゴミ箱の中底に置く。（材質プラスチック）
ゴミ箱本体の底から１センチ位の所に排水用の穴を１ヶ所あけ、そこに筒状のホース接続可能排水パイプを差し込み排水が出来るようにする。
【請求項２】
ゴミ袋も全体を穴あきにすると破れやすいので、底から２０センチ位の位置全体に細かい穴をあけて水切れを良くする。（ポリエチレン・不織布）
【考案の詳細な説明】
【技術分野】
【０００１】  本考案は、プラスチック、ポリエチレン、又はポリエチレンと不織布からなる穴あきゴミ袋付水切りゴミ箱に関する。
【背景技術】
【０００２】  ゴミと水分との分離が不十分で、混ざった状態で捨てられていることが一般的である。
【考案の概要】
【考案が解決しようとする課題】
【０００３】  一般的に飲食業の調理場にて出るゴミ（産業廃棄物）は、（生ゴミ）（一般ゴミ）（水分）の３つに大別出来る。その中でも特に（生ゴミ）（水分）が、どの店舗においても悩みの種でどうしても混ざって捨てざるを得なくなり、その為周りに臭気が漂い衛生的にもよくない等の欠点がある。
【課題を解決するための手段】
【０００４】  本考案は、水と生ゴミや一般ゴミと分離して捨てる事が出来る様に、穴をあけたゴミ袋をゴミ箱の中の穴あき水切り台に置き、ゴミ箱の底に穴をあけて筒状のホース接続用パイプを差し込むことで、排水溝に直接水を流すことが出来、ゴミと水を分別することにより上記課題を解決するものである。
【考案の効果】
【０００５】  本考案は、ゴミ箱の中にコの字型の穴あき台と穴あきゴミ袋を採用して、ゴミ箱に排水用の穴に筒状のホース接続用パイプを取り付けることで、ゴミと水を分別して水のみ直接排水溝に流すことが出来、又ゴミ箱の位置が排水溝から離れている場合は、パイプにホースをつけて水だけを流すことが出来るので衛生・環境・ＥＣＯにも適応し実用性にも優れたものである。
【図面の簡単な説明】
【０００６】
【図１】本考案に係る穴あきゴミ袋付水切りゴミ箱の一部を構成する「穴あき台」の斜視図である。
【図２】本考案に係る穴あきゴミ袋付水切りゴミ箱の一部を構成する「筒状のホース接続用パイプを装着した」斜視図である。
【図３】本考案に係る穴あきゴミ袋付水切りゴミ箱の一部を構成する「ゴミ袋」の斜視図である。
【図４】本考案に係る「穴あきゴミ袋付水切りゴミ箱全体」の斜視図である。
【符号の説明】
【０００７】    １・・・台
２・・・穴
３・・・筒状のホース接続可能排水パイプ
４・・・ナイロン袋
【考案を実施するための形態】
【０００８】  図１に示すように、コの字型の穴あき台をゴミ箱の底に設置する。
図２に示すように、ゴミ箱の底から１センチ位の位置に１ヶ所穴あけ、そこに筒状のホース接続用パイプを差し込み接着する。
【０００９】  図３に示すように、ゴミ袋の下部全体を２０センチ位に水切り用の細かい穴をあける。材質はポリエチレンか不織布を使用する。
【００１０】  上記工程により完成した本考案は、穴あきゴミ袋を使用して穴あき台とゴミ箱に排水口を取り付けたことで、水切り出来たゴミを捨てることが出来排水も直接排水溝に流すことが出来る。
【図１】
0003161536.tif 000003
【図２】
0003161536.tif 000004
【図３】
0003161536.tif 000005
【図４】
0003161536.tif 000006
【手続補正書】
【提出日】平成22年5月17日(2010.5.17)
【手続補正２】
【補正対象書類名】実用新案登録請求の範囲
【補正対象項目名】全文
【補正方法】変更
【補正の内容】
【実用新案登録請求の範囲】
【請求項１】
ゴミ袋の底から２０センチ位の位置全体に細かい穴をあけて、各種ゴミ箱の内寸に合った穴あき台をゴミ箱の中底に置き、ゴミ箱本体の底から１センチ位の所に排水用の穴を１ヶ所あけ、そこに筒状のホース接続可能なパイプを差し込み水切れを特徴とする穴あきゴミ袋付き水切りゴミ箱。
(57)【要約】      （修正有）【課題】掃除機に連結した吸入パイプの先端で、たて、よこ、斜め、くの字に、作業者の思うまま、自由自在に方向転換でき、パイプの先で取り付け箇所がよじれたり、外れたりしない吸込口体を提供する。【解決手段】吸込口体の外側２箇所に固定した２本のひもを、吸込口体の両側面に開けた小さな穴から吸込口体の内側に通し、この２本のひもを掃除機の吸引力により掃除機のパイプ先端からパイプの中に吸引させ、吸込口体をパイプ先端に吸着させる。【選択図】図１
0003161539.tif 000002
【実用新案登録請求の範囲】
【請求項１】
吸込口体に着けたひもを  掃除機本体への空気の吸引力により掃除機パイプに吸着させるように作成した吸込口体である。
【考案の詳細な説明】
【技術分野】
【０００１】本考案は吸込口体が電気掃除機に連結した吸入パイプの先端で  たて、よこ、斜め、くの字に自由自在に方向転換でき  吸入パイプの先端への着脱に  一切手を使わずに使用できる物である。
【背景技術】
【０００２】電気掃除機のぶらぶら吸込口体（平成２０年１月３０日実用新案登録済第３１３９４３５号）が使用中に  よじれたり  物に引っかかったときに  外れて取れてしまい  次から次へと仕事に移れない不便さを感じた。
【考案が解決しようとする課題】
【０００３】電気掃除機のぶらぶら吸込口体（平成２０年１月３０日実用新案登録済第３１３９４３５号）を掃除機本体のパイプに固定するバンドが  よじれたり  外れたりしないで  又楽にパイプに着脱でき  仕事の能率を向上できないか
【課題を解決するための手段】
【０００４】吸込口体の両横壁に開けた穴を通して  吸込口体外壁より内側へ隙間を開けて外側で固定した適当の長さの２本のひもを着けた吸込口体にした。
【考案の効果】
【０００５】掃除機本体のパイプを吸込口体に近づけ  掃除機のスイッチを入れると掃除機の吸引力により吸込口体の内側に着けてある２本のひもが瞬時にパイプに吸引され吸込口体がパイプの先端に装着され  たて、よこ、斜め、くの字に  あたかも  ゴムひもで連結したかのように  作業面に対応して自由自在に動き  しかも吸込口体とパイプの連結が  よじれたり  外れて取れてしまう心配もなしに次から次へと  能率のよい連続した仕事ができ  作業者の負担を大幅に軽減させ  作業時間の短縮も図れた。
一般の吸入パイプ付の電気掃除機であれば  製造会社が違い  吸入パイプの太さが違っていても  それぞれに対応し着けて使用できた。
長いパイプを外して  短くホースの付いた継ぎ手ハンドルのところにも  同様に着けて使用できた。
平成２０年１月３０日  実用新案登録済み第３１３９４３５号の  吸込口体をパイプに固定して使うより  パイプの先端での吸込口体の振りがスムーズになった。
又  吸込口体の振りの角度が少々大きくなった。
掃除機本体のスイッチを切ると  自然に手を使わずに外れてくれた。
【図面の簡単な説明】
【０００６】
【図１】本考案の  内側にひもの着いた  ぶらぶら楽々  吸込口体の本体の斜視図である。
【図２】吸込口体とそれに通したひもと掃除機のパイプとの関係を示した平面断面図である。
【図３】吸込口体とそれに通したひもと掃除機のパイプとの関係を示した側面断面図である。
【符号の説明】
【０００７】１掃除機の  ぶらぶら楽々  吸込口体
２掃除機のパイプに吸入され  吸込口体をパイプに吸着させるひも
３掃除機本体の吸入パイプ
４ひもを吸込口体への固定する鋲（結わえても良し）
５吸込口体と吸入パイプ間の隙間
【図１】
0003161539.tif 000003
【図２】
0003161539.tif 000004
【図３】
0003161539.tif 000005
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
吸込口体の外側２箇所に固定した（鋲で留めてもよし、結び目を作ってもよい）２本のひもを吸込口体の両側面に開けた小さな穴から吸込口体の内側に通しこの２本のひもを  掃除機の吸引力により掃除機のパイプ先端よりパイプの中に吸引させ吸込口体をパイプ先端に吸着させる吸込口体。
(57)【要約】      （修正有）【課題】郵便受け箱へ投函された郵便物や新聞の雨水防止覆構造を提供する。【解決手段】家庭の屋外設置型や雨水が掛るドア部設置の郵便受け箱へ投函された郵便物や新聞が雨水により濡れる解決手段を提供する。郵便受け箱本体を厳重に雨水対策しても、投げ入れられた郵便物や新聞等が濡れるのは、投函口蓋部に付着した雨水が郵便物や新聞に移り濡れる為である。郵便受け箱本体１の郵便物投函口１ａと取り出し口１ｂを覆う覆体２により郵便受け箱１の投函口１ａの蓋体部への雨水付着を防ぎ結果投函郵便物や新聞の雨水濡れを防止する。さらに郵便受け箱１の水止材１ｃと覆体２のフランジ２ａにより投函口１ａと取り出し口１ｂの雨水侵入対策となる。【選択図】図１
0003161527.tif 000002
【実用新案登録請求の範囲】
【請求項１】
郵便受け箱へ投函される郵便や新聞等の投函物の水濡れ対策として、郵便受け箱の郵便物投函口部側を覆う回動覆体を特徴とする郵便受け箱。
【請求項２】
郵便受け箱の雨水侵入対策として、郵便受け箱の郵便物投函口側の外側周囲に取り付ける回動覆体と接する水止工作を特徴とし且つ該水止工作を覆う回動覆体のフランジ形状を特徴とする郵便箱。
【請求項３】
請求項１の回動蓋体は、上方向・下方向・右方向・左方向への回転体及びシャッタ形状体いずれも包含する回動蓋体を特徴とする郵便受け箱。
【考案の詳細な説明】
【技術分野】
【０００１】  本考案は郵便受け箱へ投函された郵便物や新聞の雨水濡れ対策に関するものである。
【背景技術】
【０００２】  郵便受け箱の雨水侵入防止対策は侵入防止と排水対策を主として種々提供されている。
【考案の概要】
【考案が解決しようとする課題】
【０００３】  郵便受け箱本体の防水・排水対策手段は提供されてはいるが、いまだ投函された新聞等の水濡れが見られる。原因の一つとして郵便受け箱の郵便投函口の蓋部への雨水付着があり、該蓋部付着雨水が投函時新聞等へ移る為である。【０００４】雨水対策を簡略化し、且つ該郵便受け箱本体製作時の工程削減を図り、郵便受け箱材質をより広範囲に選択出来る様にする。樹脂や木質でも製作し易い。
【課題を解決する手段】
【０００５】  上記課題を解決する為に、郵便受け箱の投函口蓋部への雨水付着を防止する手段として、郵便投函口蓋部側へ覆体を取り付ける。併せて該覆体と接する郵便受け箱本体外側に水止材を取り付ける。
【０００６】  前項の郵便受け箱投函口部覆体は回動覆体が提供される。回動方法は上方もしくは下方への回転、右方向或いは左方向への回転、枢軸により枢着された支持腕体による上方回動、シャッタ形状覆体が提供出来る。
【考案の効果】
【０００７】  郵便受け箱の投函口側を覆う事により郵便受け箱の投函口の蓋部への雨水付着が無くなり新聞等の投函時の付着雨水問題は解決される。投函口と取り出し口部が覆体で雨水侵入から防護される為投函口と取り出し口の防水構造は簡素化し得る。さらに該覆体の接する郵便受け箱本体側への水止材により該郵便受け箱本体から投函口と取り出し口への伝わり雨水は防止される。
【図面の簡単な説明】
【０００８】
【図１】  郵便受け箱への下方回動覆体実施例の斜視図。
【図２】  郵便受け箱本体の水止め工作と覆体のフランジ説明図。
【図３】  回動覆体の開閉説明と覆体の実施例。Ａは下方への回転運動、Ｂは上方への回転運動、Ｃは左への回転運動、Ｄは枢軸で枢着された支持体で上方へ回動例、Ｅはシャッタの覆体例。
【考案を実施する形態】
【０００９】  郵便受け箱の郵便投函口側が略半円形状の場合は、下回転、左・右回転の覆体が適している。投函口側形状が略四角形の場合はさらに上回転やシャッタ構造の覆体や枢軸を中心にした上方回動覆体も選択出来る。
【実施例】
【００１０】  以下添付図面に従って実施例を説明する。図１は郵便受け箱本体１（この実施例では略半円形の箱形状）に覆体２を取り付けした実施例である。覆体２を下方へ回転した時箱体１の投函口１ａと取り出し口１ｂが表れる。覆体２は郵受け便箱１へ蝶番枢着されている。図２・郵便受け箱１の水止材１ｃと覆体２のフランジ２ａとで郵便受け箱の投函口部側への雨水侵入を防止する水止効果を得る。図３は他の実施例と覆体の回動説明図。Ａは下方への回転覆体。Ｂは上方への回転覆体図。Ｃは左方（或いは右方）への回転覆体図。Ｄは枢軸と枢着された支持体による回動覆体図。Ｅは覆体２がシャッタの実施例である。【００１１】  覆体２の回動付勢手段としてバネの取り付けと覆体２が閉位置固定手段としてのロック具も備える。（バネ・ロック・キャッチ具図示省略）さらに回動覆体の回動操作時の取手２ｂ等の把部も備える。
【符号の説明】
【００１２】  １  郵便受け箱本体
１ａ郵便受け箱の投函口
１ｂ郵便受け箱の投函物取り出し口
１ｃ郵便受け箱外側の水止め工作
２  郵便受け箱雨水対策回動覆体
２ａ郵便受け箱回動覆体雨水止めフランジ部材
２ｂ郵便受け箱雨水対策回動覆体の取手部
【図１】
0003161527.tif 000003
【図２】
0003161527.tif 000004
【図３】
0003161527.tif 000005
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
郵便受け箱へ投函される郵便や新聞等の投函物の水濡れ対策として、郵便受け箱の郵便物投函口部側を覆う回動蓋体を備えることを特徴とする郵便受け箱。
【請求項２】
郵便受け箱への投函物の水濡れ対策として、郵便受け箱の郵便物投函口側の外側周囲に取り付ける回動蓋体と接する水止め工作を備え、且つ該水止工作を覆う回動蓋体のフランジ形状を備えることを特徴とする請求項１記載の郵便受け箱。
【請求項３】
郵便受け箱への投函物水濡れ対策として、郵便受け箱の郵便物投函口部側を覆う回動蓋体は、上方向・下方向・右方向・左方向への回転体及びシャッタ形状体いずれも包含する回動蓋体を備えることを特徴とする請求項１または請求項２記載の郵便受け箱。